(57)【特許請求の範囲】
【請求項１】
浮動充電を行った場合における蓄電池の周囲温度と蓄電池が寿命に至るまでの期間との関係から前記周囲温度に対する単位時間当りの寿命低下係数を予め求めておき、
１サンプリング周期毎に該１サンプリング周期内の前記周囲温度の平均値を平均周囲温度として求め、
前記平均周囲温度における前記寿命低下係数と前記１サンプリング周期の時間との乗算値を演算し、
前記乗算値を積算して積算値を求め、
前記積算値に基づいて前記蓄電池の劣化を診断する蓄電池の劣化診断方法。
【請求項２】
浮動充電を行った場合における蓄電池の周囲温度と蓄電池が寿命に至るまでの期間との関係から前記周囲温度に対する単位時間当りの寿命低下係数を予め求めておき、
診断を開始する前に前記蓄電池が使用されていた時間を経過時間として該経過時間内の平均周囲温度に対応する前記寿命低下係数と前記経過時間との乗算値を経過時間乗算値として演算し、
１サンプリング周期毎に該１サンプリング周期内の前記周囲温度の平均値を平均周囲温度として求め、
前記１サンプリング周期毎に求められた前記平均周囲温度における前記寿命低下係数と前記１サンプリング周期の時間との乗算値を演算し、
前記乗算値を積算した値に前記経過時間乗算値を加算した値を積算値として求め、
前記積算値に基づいて前記蓄電池の劣化を診断する蓄電池の劣化診断方法。
【請求項３】
周囲温度を一定とした場合に蓄電池が寿命に至るまでの時間と、該一定の周囲温度における前記寿命低下係数とを乗算して寿命到達積算値を求め、
前記積算値と前記寿命到達積算値とを比較して前記蓄電池の劣化を診断する請求項１または２に記載の蓄電池の劣化診断方法。
【請求項４】
前記寿命低下係数Ｋは、所定の温度範囲においてはＫ＝２［（Ｔ−Ｔｏ）／１０］  ×１００の式で求められ（但し前記Ｔは平均周囲温度、前記Ｔｏは寿命到達積算値を求める際の前記一定の周囲温度である）、平均周囲温度Ｔが前記所定の温度範囲より低いときにはＴ＝Ｔｏと見做した寿命低下係数を用い、前記平均周囲温度Ｔが前記所定の温度範囲より高いときには平均周囲温度Ｔを前記所定の温度範囲の上限温度と見做した寿命低下係数を用いることを特徴とする請求項３に記載の蓄電池の劣化診断方法。
【請求項５】
前記一定の周囲温度Ｔｏは、蓄電池が寿命に至るまでの期間が短くなり始める限界の周囲温度である請求項４に記載の蓄電池の劣化診断方法。
【請求項６】
浮動充電を行った場合における蓄電池の周囲温度と蓄電池が寿命に至るまでの期間との関係から求めた前記周囲温度に対する単位時間当りの寿命低下係数を出力する寿命低下係数出力手段と、
予め定めた測定周期で前記蓄電池の周囲温度を測定する温度検出手段と、
前記測定周期よりも長い１サンプリング周期毎に該１サンプリング周期内の前記周囲温度の平均値を平均周囲温度として求める平均周囲温度演算手段と、
前記平均周囲温度を記憶する平均周囲温度記憶手段と、
前記平均周囲温度における前記寿命低下係数と前記１サンプリング周期の時間との乗算値を演算する乗算値演算手段と、
前記乗算値を積算して積算値として記憶する積算値演算記憶手段と、
前記積算値に基づいて前記蓄電池の劣化を診断する劣化診断手段と、
前記劣化診断手段の診断結果を表示する表示手段と、
前記表示手段への表示を制御する表示制御手段とを具備してなる蓄電池の劣化診断装置。
【請求項７】
浮動充電を行った場合における蓄電池の周囲温度と蓄電池が寿命に至るまでの期間との関係から求めた前記周囲温度に対する単位時間当りの寿命低下係数を出力する寿命低下係数出力手段と、
診断を開始する前に前記蓄電池が使用されていた時間を経過時間として該経過時間内の平均周囲温度に対応する前記寿命低下係数と前記経過時間との乗算値を経過時間乗算値として演算する経過時間乗算値演算手段と、
予め定めた測定周期で前記蓄電池の周囲温度を測定する温度検出手段と、
前記測定周期よりも長い１サンプリング周期毎に該１サンプリング周期内の前記周囲温度の平均値を平均周囲温度として求める平均周囲温度演算手段と、
前記１サンプリング周期毎に求められた平均周囲温度を記憶する平均周囲温度記憶手段と、
前記平均周囲温度記憶手段に記憶された平均周囲温度における前記寿命低下係数と前記１サンプリング周期の時間との乗算値を演算する乗算値演算手段と、
前記乗算値を積算した値と前記経過時間乗算値とを加算した値を積算値として記憶する積算値演算記憶手段と、
前記積算値に基づいて前記蓄電池の劣化を診断する劣化診断手段と、
前記劣化診断手段の診断結果を表示する表示手段と、
前記表示手段への表示を制御する表示制御手段とを具備してなる蓄電池の劣化診断装置。
【請求項８】
前記平均周囲温度演算手段で求めた各平均周囲温度の継続時間を積算して記憶する継続時間積算記憶手段を更に備え、
前記表示手段は平均周囲温度毎の前記継続時間の積算値を表示することを特徴とする請求項６または７に記載の蓄電池の劣化診断装置。
【請求項９】
前記劣化診断手段は、周囲温度を一定として蓄電池が寿命に至るまでの時間と前記一定の周囲温度における前記寿命低下係数とを乗算して求めた寿命到達積算値と前記積算値とを比較して前記蓄電池の劣化を診断するように構成されている請求項６または７に記載の蓄電池の劣化診断装置。
【請求項１０】
前記劣化診断手段は、前記蓄電池が寿命に至るまでの時間を設定する寿命到達時間設定手段と、前記寿命到達積算値を演算して記憶する寿命到達積算値演算記憶手段と、前記寿命到達積算値と前記積算値を比較して劣化状態を判断する比較手段とを具備する請求項９に記載の蓄電池の劣化診断装置。
【請求項１１】
前記寿命低下係数出力手段は、所定の温度範囲においては寿命低下係数Ｋ＝２［（Ｔ−Ｔｏ）／１０］  ×１００の式により求める寿命低下係数を出力し（但し前記Ｔは平均周囲温度、前記Ｔｏは寿命到達積算値を求める際の前記一定の周囲温度である）、平均周囲温度Ｔが前記所定の温度範囲より低いときにはＴ＝Ｔｏと見做して寿命低下係数を出力し、前記平均周囲温度Ｔが前記所定の温度範囲より高いときには平均周囲温度Ｔを前記所定の温度範囲の上限温度と見做して寿命低下係数を出力する請求項９に記載の蓄電池の劣化診断装置。
【請求項１２】
前記表示制御手段は、前記寿命到達積算値を１００としたときの前記積算値の値を寿命の予知レベルとして前記表示手段に表示するように構成されている請求項９に記載の蓄電池の劣化診断装置。
【請求項１３】
前記経過時間を設定する経過時間設定手段と、前記経過時間を記憶する経過時間記憶手段を更に備えている請求項７に記載の蓄電池の劣化診断装置。
【請求項１４】
前記平均周囲温度が予め定めた警報温度以上になると警報を発生する温度上昇警報発生手段を更に備えている請求項６または７に記載の蓄電池の劣化診断装置。
【請求項１５】
停電の発生を検出して停電の発生回数を記憶する停電回数記憶手段を更に備えている請求項６または７に記載の蓄電池の劣化診断装置。
【請求項１６】
前記表示手段は、前記寿命到達時間設定手段によって設定された寿命到達時間を年数に換算した期間を警報期間として表示する請求項１０に記載の蓄電池の劣化診断装置。
【請求項１７】
前記表示手段は、前記経過時間記憶手段に記憶されている前記経過時間を年数に換算した期間を前記経過時間として表示する請求項１３に記載の蓄電池の劣化診断装置。
【請求項１８】
前記表示手段は前記停電回数記憶手段に記憶されている前記停電回数を表示する請求項１５に記載の蓄電池の劣化診断装置。
【請求項１９】
交流電源が停電状態になると蓄電池を電源としてインバータ回路から交流電力を出力し、前記蓄電池が浮動充電され、前記蓄電池の劣化状態を診断する蓄電池の劣化診断装置を備えている交流無停電電源装置であって、
前記蓄電池の劣化診断装置が、請求項６乃至１８のいずれか１つの請求項に記載の蓄電池の劣化診断装置であることを特徴とする交流無停電電源装置。
【請求項２０】
前記蓄電池の劣化診断装置は前記蓄電池が寿命に近付くと警報を発する請求項１９に記載の交流無停電電源装置。
【発明の詳細な説明】
【０００１】
【発明の属する技術分野】
本発明は、蓄電池の劣化診断方法及び装置並びに蓄電池の劣化診断装置を備えた交流無停電電源装置に関するものであり、特に交流無停電電源装置の蓄電池の劣化診断に最適な蓄電池の劣化診断方法及び装置に関するものである。
【０００２】
【従来の技術】
例えば、交流無停電電源装置では、常備している蓄電池を商用電源の停電の際の電源としてインバータを稼働させて停電時にも負荷に交流電力を供給する。そのため、蓄電池の管理には、蓄電池の寿命や劣化状態を把握することは必要不可欠な要件となっている。従来、交流無停電電源装置に用いられる蓄電池の寿命や劣化の程度を検出して劣化状態を診断する方法としては、
（１）定期的に蓄電池からインバータ給電し、所定の時間内に蓄電池電圧が一定の電圧以下に低下した場合は、蓄電池が劣化していると判断する方法があった。
また、他の方法としては、
（２）蓄電池内の電解液の比重の測定により劣化の程度を検出する方法や、
（３）蓄電池の正極板の膨張度合いにより電池の寿命を検出する方法や、
（４）蓄電池の設置経過年数により劣化の程度を推定する方法等
があった。
【０００３】
【発明が解決しようとする課題】
しかしながら、上記従来の診断方法では、次のような問題点があった。
【０００４】
上記（１）の方法では、蓄電池を実際に放電させるため、この放電の直後に停電が発生した場合には、交流無停電電源装置の本来のバックアップ時間を保証できない場合がある。
【０００５】
また、上記（２），（３）の方法では、使用しているシール鉛蓄電池に対して、比重や正極板の膨張度合いを測定するセンサーを備えることは不可能で、例えばシール鉛蓄電池を使用している交流無停電電源装置に対しては適用できない。シール鉛蓄電池を使用していない交流無停電電源装置でも、上記センサーを各蓄電池に備えることはコスト高となるため、交流無停電電源装置には不向きである。
【０００６】
更に、上記（４）の方法では、蓄電池は、使用される周囲温度によって劣化の度合いが異なるため、蓄電池の設置経過年数だけでは単純に劣化程度を推定することはできない。例えば、周囲温度２５℃で寿命が５年の蓄電池ならば、周囲温度３５℃では半分の２．５年になり、周囲温度４５℃ではさらに半分の１．２５年になる。これは蓄電池の極板の格子の腐蝕が１０℃毎に２倍の速度で進行するという、一般にアレニウスの法則として知られている化学反応の法則によるものである。
【０００７】
また、以上の各方法は寿命に達したとき初めて分かるものであり、蓄電池の交換作業や手配に時間がかかることを考えれば、劣化したものが分かってから交換しようとしても、咄嗟の停電には間に合わないこともある。
【０００８】
本発明の目的は、蓄電池の温度を監視するだけで蓄電池の劣化状態を診断することができる蓄電池の劣化診断方法及び装置を提供することにある。
【０００９】
本発明の他の目的は、蓄電池の劣化状態を想定した寿命到達積算値に対して蓄電池の劣化状態を相対的に知ることができる蓄電池の劣化診断方法及び装置を提供することにある。
【００１０】
本発明の更に他の目的は、蓄電池の相対的な劣化状態を視覚により認識することができる蓄電池の劣化診断装置を提供することにある。
【００１１】
本発明の別の目的は、蓄電池が置かれている設置場所の周囲温度の変化の状態を知ることができる蓄電池の劣化診断装置を提供することにある。
【００１２】
本発明の他の目的は、蓄電池が寿命に至るまでの期間を予知できるデータを表示できる蓄電池の劣化診断装置を提供することにある。
【００１３】
本発明の他の目的は、既に使用された蓄電池についても、蓄電池の温度を監視するだけで蓄電池の劣化状態を診断することができる蓄電池の劣化診断方法及び装置を提供することにある。
【００１４】
本発明の更に他の目的は、寿命に至るまでの期間、診断を開始する前の蓄電池の使用経過時間、及び停電回数を表示できる蓄電池の劣化診断装置を提供することにある。
【００１５】
本発明の他の目的は、蓄電池の温度が異常な状態まで上昇すると警報を発する蓄電池の劣化診断装置を提供することにある。
【００１６】
本発明の別の目的は、停電時のバックアップ時間を短縮させることなく、蓄電池の寿命を知ることができる交流無停電電源装置を提供することにある。
【００１７】
本発明の更に別の目的は、蓄電池の交換時期を知ることができる交流無停電電源装置を提供することにある。
【００１８】
【課題を解決するための手段】
本発明では、蓄電池の周囲温度を測定し、その周囲温度に基づいて蓄電池の劣化状態を診断する。そのために本発明の方法では、まず浮動充電を行った場合における蓄電池の周囲温度と蓄電池が寿命に至るまでの期間との関係から周囲温度に対する単位時間当りの寿命低下係数を予め求めておく。そして１サンプリング周期毎に該１サンプリング周期内の周囲温度の平均値を平均周囲温度として求める。この平均周囲温度における寿命低下係数と１サンプリング周期の時間との乗算値を演算し、この乗算値を積算して積算値を求める。その上で、この積算値に基づいて蓄電池の劣化を診断する。
【００１９】
なお診断の対象となる蓄電池が常に新品の蓄電池であるとは限らない。診断を開始する際に既に使用されている蓄電池については、過去の使用時間または使用期間を考慮する必要がある。そこで使用開始後の電池については、診断を開始する前に蓄電池が使用されていた時間を経過時間としてこの経過時間内の平均周囲温度に対応する前記寿命低下係数と前記経過時間との乗算値を経過時間乗算値として演算しておく。そしてこの経過時間乗算値を、１サンプリング周期毎に求められた前述の平均周囲温度における寿命低下係数と１サンプリング周期の時間との乗算値に加算した値を前述の積算値として求め、この積算値に基づいて蓄電池の劣化を診断する。なお経過時間内の平均周囲温度が不明な場合には、１年の平均温度（例えば２５℃）を平均周囲温度とすればよい。このように診断開始前に使用された経過時間を考慮すると、寿命診断の精度が更に高くなる利点がある。また平均周囲温度をある一定の値にした場合でも、診断開始後の平均周囲温度の変化状態に応じて、経過時間乗算値を補正してもよい。すなわち診断開始後の総合した平均周囲温度が例えば２５℃）よりも高ければ、その分だけ経過時間乗算値を大きく補正するのである。この補正は、経過時間乗算値を演算する際に係数を適宜に変えて行えばよい。
【００２０】
積算値が小さければ、蓄電池が寿命に達するまでにまだ余裕があることが分かり、積算値が大きくなると寿命に近付いたことが分かる。この積算値を予め定めた基準値（寿命到達積算値）と比較することにより、蓄電池の劣化状態を相対的に知ることができる。例えば、周囲温度を一定とした場合に新しい蓄電池が寿命に至るまでの時間を定め、この時間と前記一定の周囲温度における寿命低下係数とを乗算して寿命到達積算値を求めて、この寿命到達積算値を基準値とすることができる。このようにすると前述の積算値とこの寿命到達積算値とを比較することにより蓄電池の劣化状態を診断することが可能になる。この比較を行うことにより、蓄電池の劣化状態を相対的に知ることができる。
【００２１】
前述の通り、寿命低下係数は、浮動充電を行った場合における蓄電池の周囲温度と蓄電池が寿命に至るまでの期間との関係から求める。この関係を数式化して、寿命到達積算値を定める場合には、所定の温度範囲においては寿命低下係数ＫをＫ＝２［（Ｔ−Ｔｏ）／１０］  ×１００の式で求めることができる。ここでＴは平均周囲温度であり、Ｔｏは寿命到達積算値を求める際に用いた一定の周囲温度である。この式を用いると、平均周囲温度に対する寿命低下係数Ｋを実際に実測する必要がなくなって、寿命低下係数Ｋを簡単に定めることができる。ここで一定の周囲温度Ｔｏ（実施例では２５℃）としては、蓄電池が寿命に至るまでの期間が短くなり始める限界の周囲温度を用いるのが好ましい。但しこの式を使用する場合でも、所定の温度範囲を外れるＴ＜Ｔｏの場合には、寿命に到達するまでの期間が実質的に変わらないためＴ＝Ｔｏとして扱う。また平均周囲温度Ｔが所定の温度範囲を外れて高くなっても、寿命に到達するまでの期間が実質的に変わらなくなる。そのため平均周囲温度Ｔにも上限温度（実施例では７５℃）を定め、平均周囲温度が上限温度より高い場合にはＴ＝Ｔmax として扱う。
【００２２】
積算値と寿命到達積算値とを比較して蓄電池の劣化状態を診断した結果の表示態様は任意である。例えば、積算値が寿命到達積算値に達する少し前に寿命予告をしてもよく、また積算値が寿命到達積算値に達した時点で寿命到達警報を発してもよい。また積算値と寿命到達積算値との関係を数字やグラフ等で表示してもよい。更に、診断の対象となる蓄電池が、診断前に既に使用されている場合には、その使用の経過時間についても表示手段に表示するようにしてもよい。このようにすると、表示結果を見る者に蓄電池が既に使用されている蓄電池であることを認識させることができ、診断結果に幾分の余裕を持たせて、蓄電池の寿命（劣化状態）を判断する機会を与えることができる。
【００２３】
本発明の蓄電池の劣化診断装置では、寿命低下係数出力手段と、温度検出手段と、平均周囲温度演算手段と、平均周囲温度記憶手段と、乗算値演算手段と、積算値演算記憶手段と、劣化診断手段と、表示手段と、表示制御手段とを具備する。そして診断開始前に既に使用されている蓄電池をも診断の対象とする場合には、更に、経過乗算値演算手段を設け、積算値演算記憶手段の構成を若干変更する。
【００２４】
いずれにしても寿命低下係数出力手段は、浮動充電を行った場合における蓄電池の周囲温度と蓄電池が寿命に至るまでの期間との関係から求めた周囲温度に対する単位時間当りの寿命低下係数を出力する。
【００２５】
温度検出手段は予め定めた測定周期で蓄電池の周囲温度を測定する。
【００２６】
平均周囲温度演算手段は、前述の測定周期よりも長い１サンプリング周期毎に該１サンプリング周期内の周囲温度の平均値を平均周囲温度として求める。そして平均周囲温度記憶手段はその平均周囲温度を記憶する。
【００２７】
乗算値演算手段は、平均周囲温度における寿命低下係数と１サンプリング周期の時間との乗算値を演算する。そして、積算値演算記憶手段は、乗算値を積算して積算値として記憶する。劣化診断手段は、積算値に基づいて蓄電池の劣化を診断する。
【００２８】
診断の対象となる蓄電池が、既に使用されている場合には、経過時間乗算値演算手段が、診断を開始する前に蓄電池が使用されていた時間を経過時間として該経過時間内の平均周囲温度に対応する寿命低下係数と前記経過時間との乗算値を経過時間乗算値として演算する。なお実際的には、経過時間を設定する経過時間設定手段と、経過時間を記憶する経過時間記憶手段を設ける。そして乗算値演算記憶手段は、乗算値演算手段で乗算した乗算値を積算した値と経過時間乗算値とを加算した値を積算値として記憶する。
【００２９】
なお劣化診断手段は、蓄電池が寿命に至るまでの時間を設定する寿命到達時間設定手段と、寿命到達積算値を演算して記憶する寿命到達積算値演算記憶手段と、寿命到達積算値とを比較して劣化状態を判断する比較手段とから構成することができる。
【００３０】
なお平均周囲温度が予め定めた警報温度以上になると警報を発生する温度上昇警報発生手段を更に設けてもよい。また停電の発生を検出して停電の発生回数を記憶する停電回数記憶手段を更に設けてもよい。
【００３１】
そして表示制御手段は、劣化診断手段の診断結果を表示手段に表示させる。表示手段には、寿命到達時間設定手段によって設定された寿命到達時間を年数に換算した期間を警報期間として表示させてもよく、また経過時間記憶手段に記憶されている経過時間を年数に換算した期間を経過時間として表示させてもよく、更に停電回数記憶手段に記憶されている停電回数を表示させてもよい。
【００３２】
本発明の蓄電池の劣化診断方法及び装置は、浮動充電またはトリクル充電される蓄電池の劣化の診断に適用できる。本発明では、周囲温度だけを測定すればよいため、蓄電池を実際に放電させるなどの必要がない。そのため交流無停電電源装置の蓄電池の劣化状態を診断するために本発明を適用すると、停電時のバックアップ時間を短縮することがない上、蓄電池の寿命と交換時期をある程度正確に知ることができる。また、診断前に使用されていた蓄電池については、診断前の使用経過時間を考慮して経過時間乗算値を求め、この経過時間乗算値を積算値に含めて診断をするため、診断精度が高くなる。
【００３３】
【発明の実施の形態】
以下、図１を参照して、本発明の蓄電池の劣化診断方法及び装置の実施の形態の一例を説明する。図１は、本発明の蓄電池の劣化診断装置の実施の形態の一例の構成のブロック図である。図１において、Ａは温度検出手段、Ｂは平均周囲温度演算手段、Ｃは平均周囲温度記憶手段、Ｄは継続時間積算記憶手段、Ｅは寿命低下係数出力手段、Ｆは乗算値演算手段、Ｇは積算値演算記憶手段、Ｈは劣化診断手段、Ｉは表示制御手段、Ｊは表示手段である。
【００３４】
温度検出手段Ａは、予め定めた測定周期で蓄電池の周囲温度を測定するものであり、例えばサーミスタ等の各種の温度センサを温度検出素子として備えたＩＣである。この温度検出手段Ａは、蓄電池の電槽の外壁に直接固定してもよいし、蓄電池の電槽からある程度離して配置してもよい。測定周期は平均周囲温度の精度をあまり低くしないようにある程度短くするほうが好ましい。ちなみに実施例では、この測定周期を１分としている。
【００３５】
平均周囲温度演算手段Ｂは、前述の測定周期よりも長い１サンプリング周期毎に該１サンプリング周期内の周囲温度の平均値を平均周囲温度として求める。そして平均周囲温度記憶手段Ｃは、その平均周囲温度を記憶する。１サンプリング周期は、周囲温度の変化状況と平均周囲温度記憶手段Ｃ等の各種の記憶手段の記憶容量を考慮して定めればよい。ちなみに実施例では、１サンプリング周期を６０分としている。平均周囲温度の桁の定め方は任意であるが、実施例では平均周囲温度記憶手段Ｃの記憶容量や演算を考慮して小数点以下を四捨五入したりまたは切り捨てている。
【００３６】
継続時間積算記憶手段Ｄは、平均周囲温度演算手段Ｂで求めた平均周囲温度の継続時間を積算して記憶するものであり、具体的には例えば平均周囲温度に対応した数の複数の時間カウンタを設ければよい。
【００３７】
寿命低下係数出力手段Ｅは、浮動充電を行った場合における蓄電池の周囲温度と蓄電池が寿命に至るまでの期間との関係から求めた周囲温度に対する単位時間当りの寿命低下係数を出力する。この寿命低下係数の出力は、テーブルやマップとして記憶手段に記憶しておいたものを出力するようにしてもよいが、前述のＫ＝２［（Ｔ−Ｔｏ）／１０］  ×１００の式を用いて出力するようにしてもよい。その場合には、寿命低下係数出力手段は、所定の温度範囲においては寿命低下係数Ｋ＝２［（Ｔ−Ｔｏ）／１０］  ×１００の式により求める寿命低下係数を出力し（但し前記Ｔは平均周期温度、前記Ｔｏは寿命到達積算値を求める際の前記一定の周囲温度である）、平均周囲温度Ｔが前記所定の温度範囲より低いときにはＴ＝Ｔｏと見做して寿命低下係数を出力し、平均周囲温度Ｔが前記所定の温度範囲より高いときには平均周囲温度Ｔを前記所定の温度範囲の上限温度と見做して寿命低下係数を出力するように構成すればよい。
【００３８】
乗算値演算手段Ｆは、平均周囲温度記憶手段Ｃに記憶した平均周期温度に対して寿命低下係数出力手段Ｅから出力される寿命低下係数と１サンプリング周期の時間とを乗算する。乗算値演算手段Ｆで乗算した乗算値は積算されて積算値演算記憶手段Ｇに記憶される。
【００３９】
劣化診断手段Ｈは、積算値演算記憶手段Ｇに記憶された積算値に基づいて蓄電池の劣化を診断する。そして表示制御手段Ｉは、劣化診断手段Ｈの診断結果を表示手段Ｊに表示させる。なお劣化診断手段Ｈは、周囲温度を一定とした場合に蓄電池が寿命に至るまでの時間と該一定の周囲温度における寿命低下係数とを乗算して求めた寿命到達積算値と積算値とを比較して蓄電池の劣化を診断するように構成することができる。このようにすると劣化状態を相対的に知ることが可能になる。その場合に、特に表示制御手段Ｉを寿命到達積算値を１００としたときの積算値の値を寿命の予知レベルとして表示手段Ｊに表示するように構成すると、視覚によって蓄電池の劣化状態と寿命到達時期を相対的に知ることができる。
【００４０】
ある程度正確に寿命到達時期を予想するためには、過去の平均周囲温度の継続状況を知る必要がある。そのためには平均周囲温度演算手段Ｂで求めた平均周囲温度の継続時間を積算して記憶する継続時間積算記憶手段Ｄから継続時間の積算値を読み出して、表示手段Ｊに平均周囲温度毎の継続時間の積算値を表示させるようにすればよい。このようにすると、過去の周囲温度の変化の状況から寿命到達時期の予想精度が高くなる。
【００４１】
次に、図９を参照して、診断の対象となる蓄電池が既に使用されている場合に用いる本発明の実施の形態について説明する。図９は、本発明の蓄電池の劣化診断装置の他の実施形態の一例の構成ブロック図である。図９において、Ａは温度検出手段、Ｂは平均周囲温度演算手段、Ｃは平均周囲温度記憶手段、Ｄは継続時間積算記憶手段、Ｅは寿命低下係数出力手段、Ｆは乗算値演算手段、Ｇ´は積算値演算記憶手段、Ｈ（寿命到達時間設定手段Ｈ１、寿命到達時積算値記憶手段Ｈ２、比較手段Ｈ３）は劣化診断手段、Ｉは表示制御手段、Ｊは表示手段である。これらの構成は、基本的に積算値演算記憶手段Ｇ´を除いて、図１の実施の形態の各構成要件Ａ〜Ｊと同様の構成である。そしてこの実施の形態では、更に経過時間設定手段Ｋ，経過時間記憶手段Ｌ，経過時間乗算値演算手段Ｍ，停電回数記憶手段Ｎ，警報温度設定手段Ｏ，警報温度記憶手段Ｐ，温度警報手段Ｑを備えている。なお各手段Ｏ〜Ｑにより、温度上昇警報発生手段が構成されている。
【００４２】
ここで経過時間設定手段Ｋは、劣化診断装置が設置される前即ち劣化診断を開始する前に蓄電池が使用されていた時間である経過時間を設定する。この経過時間は、経過時間記憶手段Ｌに記憶される。経過時間乗算値演算手段Ｍは、経過時間記憶手段Ｌの経過時間と寿命低下係数出力手段Ｅの寿命低下係数を乗算して、経過時間乗算値を出力する。経過時間乗算値演算手段Ｍで乗算した経過時間乗算値は、積算値演算記憶手段Ｇ´において乗算値演算手段Ｆから出力される乗算値を積算した値に加算されて、積算値として記憶される。
【００４３】
寿命到達時間設定手段Ｈ１は、バッテリの種類に応じて警報時期即ち寿命到達時間を設定し、この時間に基づいて寿命到達積算値が演算されてこの値が寿命到達積算値記憶手段Ｈ２に記憶される。そして比較手段Ｈ３は、寿命到達積算値と積算値演算記憶手段Ｇ´が出力する積算値とを比較して劣化状態を診断する。
【００４４】
停電回数記憶手段Ｎは、停電回数を記憶する。停電回数は、蓄電池の劣化診断装置の電源がＯＮとなったときの回数をカウントしたり、無停電電源装置の停電検出回路の停電検出回数などで測定できる。
【００４５】
警報温度設定手段Ｏにより、蓄電池における異常発熱を考慮した任意の警報温度が設定される。警報温度設定手段Ｏで設定された警報温度値は警報温度記憶手段Ｔで記憶される。そして温度警報手段Ｕは、記憶された警報温度値と平均周囲温度記憶手段Ｃに記憶された平均温度値とを比較し、警報を表示制御手段Ｉで表示する。これらの手段を設けることにより、蓄電池の温度が危険な状態まで上昇したことを警報することができる。
【００４６】
【実施例】
以下図２〜図８を用いて本発明の実施例を詳細に説明する。図２は、本発明を交流無停電電源装置の蓄電池の劣化状態を診断する蓄電池の劣化診断装置に適用した場合の実施例の構成の概略構成図である。この実施例では、蓄電池の劣化診断装置の大部分をマイクロコンピュータを利用して実現している。
【００４７】
図２において、１０１は交流無停電電源装置の本体部であり、商用電源１１１，蓄電池１１２，蓄電池１１２を商用電源１１１を整流した直流で充電する充電器１１３，商用電源１１１の停電時を検出する停電検出回路１１４，停電時に蓄電池１１２からの出力を交流に変換して負荷２に交流電力を供給するインバータ１１５及び商用電源１１１の交流電力とインバータ１１５の交流電力を切り換えるスイッチ回路１１６とから構成されている。
【００４８】
交流無停電電源装置の本体部１の動作を説明すると、常時は商用電源１１１からスイッチ回路１１６を通して負荷２に交流電力が供給される。同時に商用電源１１１の交流電力は、充電器１１３により直流電力に変換され蓄電池１１２に充電される。商用電源１１１が停電になると、停電検出回路１１４が検知し、停電検出回路１１４はスイッチ切換信号１１４ａをスイッチ回路１１６に送信する。スイッチ回路１１６は、商用電源１１１から負荷２への給電回路を断ち、インバータ１１５からの電力を負荷２へ供給する。また停電検出回路１１４はインバータ１１５に対し、インバータ起動信号１１４ｂを送信する。インバータ１１５はインバータ起動信号１１４ｂを受けると、蓄電池１１２の直流電力を交流電力に変換し、スイッチ回路１１６を通して負荷２に電力を供給する。
【００４９】
以上が交流無停電電源装置の一つの給電方式であるが、以下に本発明の骨子である蓄電池の劣化診断の原理と実施例について記述する。
【００５０】
図２において、３０は蓄電池１１２の劣化診断装置部であり、温度検出ＩＣ１、マイクロコンピュータ３１、パソコン１１及び警報装置１２から構成される。さらに、マイクロコンピュータ３１は、温度検出ＩＣ１からの出力をＡ−Ｄ変換するＡ／Ｄ変換器２、タイマ４、データの演算，整理，記憶を実行制御する制御部３、ＲＯＭ部に収納された寿命低下係数表５、ＲＡＭ部に収納された寿命カウンタ６と時間カウンタ７及び平均温度エリア８、さらには制御部３の出力を外部に出力するための出力ポート９及び１０から構成されている。出力ポート９には警報装置１２が、出力ポート１０にはパソコン１１が接続されている。
【００５１】
図１との対応関係について説明すると、温度検出手段Ａは温度検出ＩＣ１とＡ／Ｄ変換器２及びタイマ４により構成され、平均周囲温度演算手段Ｂはタイマ４と制御部３及び平均温度エリア８により構成され、平均周囲温度記憶手段Ｃは平均温度エリア８により構成され、継続時間積算記憶手段Ｄは時間カウンタ７により構成され、寿命低下係数出力手段Ｅは寿命低下係数表５により構成される。また、乗算値演算手段Ｆはタイマ４と制御部３により構成され、積算値演算記憶手段Ｇは寿命カウンタ６により構成され、劣化診断手段Ｈは制御部３により構成され、表示制御手段Ｉも制御部３により構成され、さらに表示手段Ｊはパソコン１１に相当する。
【００５２】
次に蓄電池１１２の劣化診断装置部３０の動作と構成を合わせて説明する。蓄電池１１２の電槽の上に直接またはその近傍に取り付けられた温度検出ＩＣ１は、蓄電池１１２の周囲温度に応じた電圧を出力する。マイクロコンピュータ３１はＡ／Ｄ変換器２を通して、タイマ４によって測定周期ｔ1 毎に周囲温度を測定し制御部３に取込む。ｔ1 は例えば１分間隔とする。また制御部３は測定した周囲温度を１サンプリング周期ｔ2 毎に平均化する。ｔ2 は例えば１時間間隔とする。平均化した周囲温度は、１時間の平均温度として平均温度エリア８に保存する。
【００５３】
以上の説明において、蓄電池１１２の周囲温度を測定する測定周期ｔ1 （実施例では１分）と測定周囲温度を平均化する１サンプリング周期ｔ2 （実施例では１時間）を設定したのは以下の理由による。１日の気温の変化は図３のように変化するのが普通であるが、エアコンが設置された部屋では図４のようになる。図４から分かるように、エアコン使用時には短時間で急激に周囲温度が変化する。このため、１時間にただ１回の温度測定をもって１時間の周囲温度とみなすと、大きな誤差を生むことになる。そうかといって、１分毎に温度測定を行い、１分毎に寿命カウンタ６へ加算していったのでは、もし周囲温度６５℃一定で１０年使用すると寿命カウンタ６の値は、８４０９６０００００となってしまう。これはマイクロコンピュータで扱う１６進数にすると、１Ｆ５４０５０００となり、メモリとして５バイト必要になる。これは、マイクロコンピュータで扱う数字としては大きすぎ、扱いづらいものである。そこで、１時間に何回か温度測定を行い、その平均値をもって１時間の周囲温度とみなせば、誤差を生むこともなく、マイコンで扱い易い数値で処理することができる。
【００５４】
マイクロコンピュータ３１内には時間カウンタ７として、２５℃の経過時間のカウンタ７０１，２６℃の経過時間のカウンタ７０２，…，７５℃の経過時間のカウンタ７５１の５１個のカウンタを備えている。
【００５５】
制御部３は、１時間毎に算出した平均周囲温度に相当する経過時間のカウンタを１カウント加算する。例えば、平均周囲温度が２６℃であれば、２６℃時間カウンタ７０２を１カウント加算する。
【００５６】
一方、マイクロコンピュータ３１内には温度による蓄電池の劣化速度を数表化してデータ化してある。これをここでは寿命低下係数表と呼ぶことにする。寿命低下係数表５は、２５℃の劣化速度を表す２５℃寿命低下係数５０１，２６℃の劣化速度を表す２６℃寿命低下係数５０２，…，７５℃の劣化速度を表す７５℃寿命低下係数５５１を備えている。寿命低下係数表は具体的には図５のようなものであり、以下の関係により数値化したものである。
【００５７】
蓄電池の周囲温度による劣化は１０℃２倍則（アレニウスの関係）に従うことが実験により確認されている。温度と寿命の関係は図６のようである。図６は浮動充電電圧を２０℃において２．２７５Ｖ／セルとし、０．１Ｃで充電し、容量が定格の８０％となったときを寿命と判断したものである。この法則によって寿命低下の速度を数表にしたものが図５である。すなわち、蓄電池の仕様が“２５℃で５年とすると、“３５℃では２．５年”，“４５℃では１．２５年”という具合に温度に従って寿命低下の速度が速くなる。よって、２５℃の寿命低下の速度を１００とすると、３５℃では寿命低下の速度は２００、４５℃では寿命低下の速度は４００となる。この関係は、次式
寿命低下係数Ｋ＝２［（Ｔ−Ｔｏ）／１０］  ×１００
で示される。但しＴは１時間の平均周囲温度、Ｔｏは一定温度で２５℃である。Ｔ＜ＴｏのときはＴ＝Ｔｏとする。
【００５８】
制御部３は、１時間毎に算出した平均周囲温度に相当する寿命低下係数を寿命低下係数表５から読み出す。そして制御部３は、読み出した寿命低下係数を寿命カウンタ６に加算する。例えば、平均周囲温度が２６℃であれば、２６℃寿命低下係数５０２から１０７を読み出して、寿命カウンタ６に１０７を加算する。
【００５９】
もし交流無停電電源装置が２５℃一定の温度で使用されたとすると、５年後の寿命カウンタ６の値は、４３８００００（＝２４×３６５×５×１００）［寿命到達積算値］となる。制御部３は１サンプリング周期ｔ2 つまり１時間毎に寿命カウンタ６の値を４３８００００と比較している。もし寿命カウンタ６の値が４３８００００より大きいときは、制御部３は出力ポート９に対して蓄電池寿命信号３ａを送信する。出力ポート９は警報装置１２に対して、蓄電池警報信号９ａを送信する。警報装置１２は、例えばブザーやＬＥＤで構成し、交流無停電電源装置の使用者に注意を喚起させる装置である。
【００６０】
上記の機能により、使用者は蓄電池が２５℃換算で５年使用されたときに、警報によって寿命に達したことを知ることができる。上記の寿命低下係数と寿命カウンタの加算方法によって、３５℃一定で使用すれば２．５年，４５℃一定で使用すれば１．２５年で警報が発せられる。
【００６１】
一方、時間カウンタ７の各カウンタ７０１〜７５１の値は、出力ポート１０を通してマイコン外部に読み出すことができる。交流無停電電源装置の外部には、入力ポートと表示装置を備えた、例えばパソコン１１のような機器を出力ポート１０に接続する。パソコン１１には出力ポート１０から出力されてくる温度と時間のデータ１０ａを読み取り、ＣＲＴ画面に表示するようなソフトウエアを持たせる。具体的にはＲＳ２３２Ｃを利用すればよい。パソコン１１の表示画面の一例を図７に示す。図７は、２５℃で５０００時間，２６℃で１００００時間，２７℃で８０００時間を経過していることを示す。このときの寿命カウンタ６の値は、
１００×５０００＋１０７×１００００＋１１５×８０００
＝２４９００００
となる。ここで（寿命カウンタ６の値）÷４３８００００を計算すると、
２４９００００÷４３８００００＝０．５７
となり、これは現時点で“２５℃で５年”の寿命に対して、５７％の寿命を経過していることを意味する。図７では交換予知レベルとして、バーグラフで５７％を示し、使用者に対し、現在蓄電池１１２の寿命がどの程度か、視覚的に表示している。このバーグラフが１００％に達したときが、すなわち蓄電池１１２が寿命に達したときである。以上のように、使用者は、交流無停電電源装置の寿命カウンタ６の値を定期的に読み出すことにより、蓄電池の劣化具合を確認することができる。
【００６２】
上記の動作を実行するために用いるソフトウエアのアルゴリズムを示すと図８のようになる。
【００６３】
ステップＳＴ１００では、まず寿命カウンタ６，２５℃〜７５℃までの５１個の時間カウンタ７０１〜５１，平均温度エリア８を０クリアする。
【００６４】
ステップＳＴ１１０で、時間計測のためのタイマ４をスタートする。
【００６５】
ステップＳＴ１２０では、１分経過したかをチェックする。
【００６６】
ステップＳＴ１３０では、１分経過したら、温度検出ＩＣ１からＡ／Ｄ変換器２を通して温度を読み取る。
【００６７】
ステップＳＴ１４０では、読み取った温度を平均温度エリア８に加算する。
【００６８】
ステップＳＴ１５０では、１時間経過したかをチェックする。
【００６９】
ステップＳＴ１６０では、１時間経過したら、平均温度エリア８の値を６０で割り、商を平均温度エリア８にセットする。これにより、平均温度エリア８には１分毎に測定した温度の１時間の平均温度がセットされる。
【００７０】
ステップＳＴ１７０では、平均温度エリア８の値が２４℃以下か、２５〜７５℃か、７６℃以上かをチェックする。
【００７１】
ステップＳＴ１８０では、平均温度エリア８が２４℃以下の場合は、平均温度エリア８に２５℃をセットし直す。２５℃以下の温度では、蓄電池の需要は５年一定なので寿命の劣化速度も一定とみなしてよいためである。
【００７２】
ステップＳＴ１９０では、平均温度エリア８が７６℃以上の場合は、平均温度エリア８に７５℃をセットし直す。この実施例では、図５のように温度による蓄電池の寿命低下係数の表が７５℃までしかとっていないためである。通常の環境であれば、７５℃以上になることはないので、これで十分と思われるが、メモリの許す範囲で上限を拡張することは差し支えない。
【００７３】
ステップＳＴ２００では、平均温度エリア８の温度に相当する時間カウンタ７を１カウント加算する。
【００７４】
ステップＳＴ２１０では、平均温度エリア８の温度に相当する寿命低下係数を寿命低下係数表５から読み出して、その値を寿命カウンタ６に加算する。例えば、平均温度エリア８が２６℃なら２６℃寿命低下係数５０２の１０７を読み出し、この値を寿命カウンタ６に加算する。
【００７５】
ステップＳＴ２２０では、寿命カウンタ６の値が４３８００００以上かをチェックする。
【００７６】
ステップＳＴ２３０では、寿命カウンタ６の値が４３８００００未満の場合は、蓄電池１１２がまだ寿命に達していないことを判断する。このときは、次の１時間の平均温度を算出するため、平均温度エリア８を０クリアする。
【００７７】
ステップＳＴ２４０では、次の１時間を計測するため、タイマ４をイニシャライズし、ステップＳＴ１１２０へ戻る。
【００７８】
ステップＳＴ２５０では、寿命カウンタ６の値が４３８００００以上の場合は、蓄電池が寿命に達したことを意味する。このときは、使用者にその旨通知するため、警報信号を出力する。
【００７９】
上述したように、本発明に係る蓄電池の劣化診断方法及び装置は、蓄電池を実際に放電させたり、各種センサを蓄電池の中に挿入する必要が無く、周囲温度のみの測定によって蓄電池の劣化状態を誤差を低く抑えつつ的確に安価に診断できるため、交流無停電電源装置における蓄電池劣化による定格仕様の停電バックアップ時間短縮というトラブルを未然に防止することができる。
【００８０】
また、蓄電池の使用されていた温度と時間を複数のカウンタで記憶しているようにし、かつ、これらのカウンタの値をパソコン等を利用して読み出せるようにしたため、従来の蓄電池の寿命を警告する機能をもった交流無停電電源装置に比べ、蓄電池の劣化の程度の途中経過を見ることができるようになったという利点もある。さらに、任意のタイミングで、温度と時間のカウンタを読み出すことにより、蓄電池の使用されていた周囲温度と、劣化の進み具合を確認することができ、これから先、どのくらい蓄電池を使用することができるか予測することも可能であるという利点もある。
【００８１】
次に、図９に示した実施の形態の実施例について詳細に説明する。図１０は、図９の実施の形態を交流無停電電源装置の蓄電池の劣化状態を診断する蓄電池の劣化診断装置に適用した場合の実施例の構成の概略構成図である。この実施例でも、図２の実施例と同様に蓄電池の劣化診断装置の大部分をマイクロコンピュータを利用して実現している。
【００８２】
この実施例も図２の実施例と基本的な構成は同じである。図１０において、３０は劣化診断装置部であり、温度検出ＩＣ１、マイクロコンピュータ３１、パソコン１１及び警報装置１２から構成される。さらに、マイクロコンピュータ３１は、温度検出ＩＣ１からの出力をＡ−Ｄ変換するＡ／Ｄ変換器２、タイマ４、データの演算，整理，記憶を実行制御する制御部３、ＲＯＭ部に収納された寿命低下係数表５、ＲＡＭ部に収納された寿命カウンタ６と時間カウンタ７及び平均温度エリア８、さらには制御部３の出力を外部に出力するための出力ポート９及び１０から構成されている。出力ポート９には警報装置１２が、出力ポート１０にはパソコン１１が接続されている。また、設定スイッチ３２からのデータがマイクロコンピュータ３１の制御部３に入力される。
【００８３】
図９との対応関係について説明すると、温度検出手段Ａは温度検出ＩＣ１とＡ／Ｄ変換器２及びタイマ４により構成され、平均周囲温度演算手段Ｂはタイマ４と制御部３及び平均温度エリア８により構成され、平均周囲温度記憶手段Ｃは平均温度エリア８により構成され、継続時間積算記憶手段Ｄは時間カウンタ７により構成され、寿命低下係数出力手段Ｅは寿命低下係数表５により構成される。また、乗算値演算手段Ｆはタイマ４と制御部３により構成され、劣化診断手段Ｈは制御部３により構成され、表示制御手段Ｉも制御部３により構成され、さらに表示手段Ｊはパソコン１１に相当する。経過時間設定手段Ｋ，寿命到達時間設定手段Ｈ１，警報温度設定手段Ｏは設定スイッチ３２により構成される。経過時間記憶手段ＬはＲＡＭ中に記憶された経過時間設定値３３に相当し、寿命到達積算値記憶手段Ｈ２の記憶部はＲＡＭ中に記憶された寿命到達積算値３４に相当し、警報温度記憶手段ＰはＲＡＭ中に記憶された警報温度設定値３５に相当する。ちなみに警報温度記憶手段Ｐに記憶させる警報温度は、４０度である。この温度以上になると、蓄電池の使用環境として好ましくないからである。また停電回数記憶手段Ｎは停電回数カウンタ３６に相当する。その結果、経過時間乗算値演算手段Ｍは経過時間設定値３３と寿命低下係数表５と制御部３とにより構成され、寿命到達積算値記憶手段Ｈ２及び比較手段Ｈ３は制御部３と寿命到達積算値３４とから構成され、温度警報手段Ｑは制御部３により構成される。
【００８４】
上記の機能により、診断前に蓄電池が使用されていた場合であっても、例えば使用者は蓄電池が２５℃換算で５年使用されたときに警報によって寿命に達したことを知ることができる。
【００８５】
寿命到達時間設定手段Ｈ１を構成する設定スイッチ３２から、蓄電池の種類や使用態様に応じて、寿命到達時間を時間（３６５×２４×５）または年数（例えば５年）で設定する。蓄電池が２５℃換算で７年使用されたときに警報が出るように設定すると、３５℃一定で使用すれば３．５年，４５℃一定で使用すれば１．７５年で警報が発せられる。また診断前に蓄電池が使用された経過時間を経過時間設定手段Ｋを構成する設定スイッチ３２により設定する。例えば既に１年使用されている場合には、３６５×２４時間と経過時間を設定する。この１年の平均周囲温度を２５℃とすれば、経過時間乗算値は３６５×２４×１００となる。平均周囲温度をこの値以上に設定する場合には、その温度に応じて経過時間を換算する必要がある。その場合の換算の割合は、平均周囲温度２５℃一定で６年は、平均周囲温度３５℃一定では２．５年，平均周囲温度４５℃一定では０．７５年となる。過去の使用状態における平均周囲温度が分かる場合には、その平均周囲温度を用いればよいが、過去の使用状態における平均周囲温度が分からない場合には、予め定めた一定の平均周囲温度（この例では２５℃）を用いる。
【００８６】
一方、時間カウンタ７の各カウンタ７０１〜７５１の値は、出力ポート１０を通してマイコン外部に読み出すことができる。交流無停電電源装置の外部には、入力ポートと表示装置を備えた、例えばパソコン１１のような機器を出力ポート１０に接続する。パソコン１１には出力ポート１０から出力されてくる温度と時間のデータ１０ａを読み取り、ＣＲＴ画面に表示するようなソフトウエアを持たせる。具体的にはＲＳ２３２Ｃを利用すればよい。パソコン１１の表示画面の他の一例を図１１に示す。図１１は、２５℃で５０００時間，２６℃で１００００時間，２７℃で８０００時間を経過していることを示す。また、表示画面には、経過時間が１年（３６５×２４時間），停電回数が２回，警報期間（寿命到達時間）が５年と表示されている。このときの寿命カウンタ６の値（積算値）は、
１００×５０００＋１０７×１００００＋１１５×８０００
＝２４９００００
となる。
【００８７】
そして２５℃一定の環境で警報期間５年では寿命到達時間は４３８００００時間となり、２５℃一定の環境での経過時間１年の経過時間乗算値（３６５×２４×１００）は８７６０００となる。
【００８８】
ここで［（寿命カウンタの値）÷（警報時期）］＋［（経過時間）÷（警報期間）］＝［寿命カウンタの値（積算値）＋経過時間乗算値］÷警報期間（寿命到達時間）を計算すると、
（２４９００００＋８７６０００）÷４３８００００
＝０．５７＋０．２
＝０．７７
となる。これは現時点で“２５℃で５年”の寿命に対して、診断開始前の使用を含めて７７％の寿命を経過していることを意味する。図１１では交換予知レベルとして、バーグラフで７７％を示し、使用者に対し、現在蓄電池１１２の寿命がどの程度か、視覚的に表示している。
【００８９】
上記例は経過時間乗算値を平均周囲温度２５℃の場合で考えているが、この平均周囲温度は正確な温度ではない。そこで蓄電池に劣化診断装置を設置する前と後で、特に無停電電源装置の使用状況に大きな変化がないと考えれば、劣化診断装置を設置した後の温度（または積算値）を考慮して設置前の温度（または経過時間乗算値）を補正することができる。すなわち前述の計算では、２５℃で診断前の経過時間を換算しているが、これを診断開始後の実際の経過時間に基づいて補正する。具体的には、診断前の経過時間乗算値を次の式で補正する。
【００９０】
補正経過時間乗算値＝経過時間乗算値×（実際の積算値÷２５℃換算積算値）これを上記例で具体的に計算すると、
補正経過時間乗算値＝８７６０００×｛２４９００００÷［（５０００＋１００００＋８０００）×１００］｝＝９４６０８０
となる。この補正経過時間乗算値を用いて再度計算すると、
２４９００００÷４３８００００＋９４６０８０÷４３８００００
＝０．５７＋０．２２
＝０．７９
となる。この値（０．７９）は、補正前の値（０．７７）に比べて大きくなっており、寿命診断の信頼性が高くなっている。なお経過時間を２５℃一定で処理するか、それとも診断開始後の温度変化を考慮して補正するかは、任意である。診断開始後の平均周囲温度が２５℃よりもかなり高い場合には、補正をしたほうが診断精度が上がるが、補正をしない場合でも実用上は大きな問題は生じない。
【００９１】
【発明の効果】
本発明によれば、蓄電池の温度を監視するだけで蓄電池の劣化状態を診断することができる。また、蓄電池の劣化状態を想定した寿命到達積算値に対して蓄電池の劣化状態を相対的に知ることができる。更に蓄電池の相対的な劣化状態を視覚により認識することができる利点がある。また蓄電池が置かれている設置場所の周囲温度の変化の状態を知ることができる利点もある。そして本発明によれば、蓄電池が寿命に至るまでの期間を予知できるデータを表示できる蓄電池の劣化診断装置を提供できる。
【００９２】
また本発明によれば、停電時のバックアップ時間を短縮させることなく、蓄電池の寿命を知ることができる交流無停電電源装置を提供できる。
【００９３】
更に本発明によれば、蓄電池の交換時期を知ることができる交流無停電電源装置を提供できる。
【００９４】
特に診断開始前の蓄電池の使用経過時間を考慮して診断すれば、診断開始前に既に蓄電池が使用されていても、劣化診断を行うことができる。
【図面の簡単な説明】
【図１】  本発明の蓄電池の劣化診断装置の実施の形態の一例の構成のブロック図である。
【図２】  本発明に係わる蓄電池の劣化診断装置を具備した交流無停電電源装置の一実施例の構成の概略構成図である。
【図３】  エアコンのない場合の部屋の気温の変化を表す図である。
【図４】  エアコンの設置されている部屋の気温の変化を表す図である。
【図５】  温度に対する蓄電池の寿命低下係数を表す図表である。
【図６】  蓄電池の周囲温度と寿命の関係を表す図である。
【図７】  本発明に係わる蓄電池の劣化診断装置におけるパソコン表示画面の一例を示す図である。
【図８】  本発明に係わる蓄電池の劣化診断装置で用いるマイクロコンピュータで用いるソフトウエアーのアルゴリズムのフローチャートの一例である。
【図９】  本発明の他の実施の形態の一例の構成のブロック図である。
【図１０】  本発明に係わる蓄電池の劣化診断装置を具備した交流無停電電源装置の他の実施例の構成の概略構成図である。
【図１１】  図１０の実施例におけるパソコン表示画面の一例を示す図である。
【符号の説明】
Ａ  温度検出手段
Ｂ  平均周囲温度演算手段
Ｃ  平均周囲温度記憶手段
Ｄ  継続時間積算記憶手段
Ｅ  寿命低下係数出力手段
Ｆ  乗算値演算手段
Ｇ，Ｇ´  積算値演算記憶手段
Ｈ  劣化診断手段
Ｉ  表示制御手段
Ｊ  表示手段
Ｋ  経過時間設定手段
Ｌ  経過時間記憶手段
Ｍ  経過時間乗算値演算手段
Ｎ  停電回数記憶手段
Ｏ  警報温度設定手段
Ｐ  警報温度記憶手段
Ｑ  温度警報手段
１１１  商用電源
１１２  蓄電池
１１３  充電器
１１５  インバータ
１  温度検出ＩＣ
３１  マイクロコンピュータ
２  Ａ／Ｄ変換器
４  タイマ
３  制御部
５  寿命低下係数表
５０１  ２５℃寿命低下係数
５０２  ２６℃寿命低下係数
５５１  ７５℃寿命低下係数
６  寿命カウンタ
７  時間カウンタ
７０１  ２５℃時間カウンタ
７０２  ２６℃時間カウンタ
７５１  ７５℃時間カウンタ
８  平均温度エリア
９，１０  出力ポート
１１  パソコン
１２  警報装置
【図１】
0003697818.tif 000002
【図２】
0003697818.tif 000003
【図３】
0003697818.tif 000004
【図４】
0003697818.tif 000005
【図５】
0003697818.tif 000006
【図６】
0003697818.tif 000007
【図７】
0003697818.tif 000008
【図８】
0003697818.tif 000009
【図９】
0003697818.tif 000010
【図１０】
0003697818.tif 000011
【図１１】
0003697818.tif 000012